(57)【特許請求の範囲】
【請求項１】
直管部と、この直管部から傾斜してなる傾斜管部とを備えたストレーナ本体の上記傾斜管部内に配置され、流体が内部に流入し該流体に混入した異物を内周面において捕捉する円筒形状のスクリーンと、
このスクリーンの一端側に配置され上記流体を該スクリーン内に導入する流入ポートが開設されたリング部材と、
上記スクリーンの他端側に配置され上記傾斜管部からの流体の流出を規制する流出規制部材と、
先端側に形成され上記リング部材の中心位置にて回動自在に支持されてなる一方の被支持部と、他端側中途部に形成され上記流出規制部材の中心位置にて回動自在に支持されてなる他方の被支持部とを備えた回転軸と、
回転することにより先端が上記スクリーンの内周面に摺接するブラシ部材と、を備え、
上記ブラシ部材は、基端が、上記回転軸を構成する一方及び他方の被支持部の回転中心よりも該ブラシ部材とは離間する方向に離れた位置に固定された棒状及び／又は円筒状の支持部材を介して、該回転軸に支持されてなることを特徴とする洗浄機能付きストレーナ。
【請求項２】
前記回転軸は直線状に成形され、前記支持部材の基端は、この回転軸よりも偏心した位置であって、前記ブラシ部材とは離間する方向に離れた部位に位置するように固定されてなることを特徴とする請求項１記載の洗浄機能付きストレーナ。
【請求項３】
前記回転軸の一端側中途部と他端側中途部とには、該回転軸の長さ方向に長さを有する固定プレートの基端が該回転軸の周面に固定され、この固定プレートには、前記ブラシ部材を支持する単一又は複数の支持部材の基端が固定されてなるとともに、該支持部材の長さ方向は上記回転軸の長さ方向と直交する方向とされてなり、該支持部材の中途部は上記回転軸に隣接してなることを特徴とする請求項１記載の洗浄機能付きストレーナ。
【請求項４】
前記回転軸には、該回転軸を１８０度回転させた位置には、前記固定プレートと同一形状に係る第２の固定プレートが該第１の固定プレートと面対向することなく固定されてなるとともに、この第２の固定プレートには、前記ブラシ部材と同一形状に係る第２のブラシ部材を支持し上記回転軸を間に介して前記支持部材と平行とされてなる第２の支持部材の基端が固定されてなることを特徴とする請求項３記載の洗浄機能付きストレーナ。
【請求項５】
前記回転軸には、前記一方の被支持部と他方の被支持部との間において、コ字状に折曲され該回転軸の回動中心とは偏心してなるとともに前記スクリーンの長さ方向と平行となされた偏心軸部が形成され、前記支持部材は、該支持部材の基端が上記偏心軸部に固定されてなるとともに、該支持部材の中途部は上記回転軸の回動中心を通過して該回転軸の回転中心の長さ方向とは直交する方向に長さを備えてなることを特徴とする請求項１記載の洗浄機能付きストレーナ。
【請求項６】
前記支持部材又は第２の支持部材とブラシ部材又は第２のブラシ部材には、前記支持部材としての軸部と、この軸部が内嵌挿される前記支持部材又は第２の支持部材としての円筒部とを相対的に備えてなるとともに、上記円筒部内には、上記ブラシ部材又は第２のブラシ部材の先端を前記スクリーンの内周面に圧接する弾性部材が配置されてなることを特徴とする請求項１ないし５記載の何れかの洗浄機能付きストレーナ。
【発明の詳細な説明】
【技術分野】
【０００１】
本発明は、管体内を流れる流体の流路の途中に配置され、該流体に混入したスラッジやゴミ等の異物を除去するために使用されるとともに、上記異物を捕捉するスクリーンに付着した異物を洗浄する機能を備えた洗浄機能付きストレーナに関するものである。
【背景技術】
【０００２】
これまで多くの化学プラントや工業設備或いは構造物においては、液体や排水の流路としての管体（パイプライン）が配置されているとともに、こうした管体の途中には、上記液体や排水に含まれた上記スラッジ等の異物を除去するためにストレーナが配置されている。こうしたストレーナには、上記異物を捕捉し該液体を濾過するスクリーンが構成要素とされ、該ストレーナの多くの構造は、上記スクリーンの内側に流入した流体が該スクリーンを通過して該スクリーンの外部に排出される構造が採用され、このように流体がスクリーンを通過する際に該スクリーンにより上記異物が捕捉されるように構成されている。
【０００３】
ところで、上記ストレーナが長時間使用されると、上記スクリーンの内側面には、該スクリーンによって捕捉された多数の異物が付着することになり、こうした異物の付着により、管体内を流れる単位時間あたりの流体の流量が減少することとなることから、定期的又はその必要に応じて、上記スクリーンを洗浄し、上記異物をスクリーンから除去する必要性が生ずる。そこで、これまでこうしたスクリーンに付着した異物を洗浄する機能を備えた洗浄機能付きストレーナとしては、モータ等の駆動により自動的に回転する回転軸に支柱を配置し、この支柱の先端にブラシ等を設け、このブラシの先端と上記スクリーンの内側面とを摺接させるものが提案されている（特許文献１，２，３参照）。
【０００４】
なお、本出願人は、ストレーナを構成するスクリーンの内側に付着した異物を除去するために、手動で回転又は回動する回動軸に支柱を設けるとともに、この支柱の先端側にブラシを配置したものを提案している（特許文献４，５参照）。
【先行技術文献】
【特許文献】
【０００５】
【特許文献１】特開平６−３９２１５公報
【特許文献２】特開２００２−２６３４１１号公報
【特許文献３】特開２０１２−２００６２号公報
【特許文献４】実用新案登録第３０４４２７６号公報
【特許文献５】実用新案登録第３０６５４３４号公報
【発明の概要】
【発明が解決しようとする課題】
【０００６】
しかしながら、上記各特許文献に開示されたストレーナ等では、異物を捕捉するスクリーンの径が短くなればなるほど回転軸とブラシとの間隔が狭くなり、該回転軸とブラシとを連結する部材ないしはブラシを支持する部材等の小型化を避けられないが、このように回転軸とブラシとを連結する部材やブラシを支持する部材を小型化することにより、機械的強度が劣り、効果的にブラシの先端をスクリーンの内周面に摺接させることができない。
【０００７】
そこで、本発明は、上述した従来の洗浄機能付きストレーナが有する課題を解決するために提案されたものであって、回転軸とブラシとを連結する部材やブラシを支持する部材等を（短尺化することも含めて）小型化することによる機械的強度の劣悪性を防止し、効果的にブラシの先端をスクリーンの内周面に摺接させることができる新規な洗浄機能付きストレーナを提供することを目的とするものである。
【課題を解決するための手段】
【０００８】
本発明は、上記課題を解決するために提案されたものであって、第１の発明（請求項１記載の発明）は、直管部と、この直管部から傾斜してなる傾斜管部とを備えたストレーナ本体の上記傾斜管部内に配置され、流体が内部に流入し該流体に混入した異物を内周面において捕捉する円筒形状のスクリーンと、このスクリーンの一端側に配置され上記流体を該スクリーン内に導入する流入ポートが開設されたリング部材と、上記スクリーンの他端側に配置され上記傾斜管部からの流体の流出を規制する流出規制部材と、先端側に形成され上記リング部材の中心位置にて回動自在に支持されてなる一方の被支持部と、他端側中途部に形成され上記流出規制部材の中心位置にて回動自在に支持されてなる他方の被支持部とを備えた回転軸と、回転することにより先端が上記スクリーンの内周面に摺接するブラシ部材と、を備え、上記ブラシ部材は、基端が、上記回転軸を構成する一方及び他方の被支持部の回転中心よりも該ブラシ部材とは離間する方向に離れた位置に固定された棒状及び／又は円筒状の支持部材を介して、該回転軸に支持されてなることを特徴とするものである。
【０００９】
この第１の発明に係る洗浄機能付きストレーナでは、スクリーンの内周面に付着した異物を洗浄し除去するブラシ部材は、基端が、上記回転軸を構成する一方及び他方の被支持部の回転中心よりも該ブラシ部材とは離間する方向に離れた位置に固定された棒状及び／又は円筒状の支持部材を介して、該回転軸に支持されてなることから、スクリーンの径が短くなった場合であっても、これまで使用していた支持部材を最小限度の変更のみで機械的強度を維持することができ、効果的にブラシの先端をスクリーンの内周面に摺接させることができる。
【００１０】
すなわち、従来の洗浄機能付きストレーナを構成するスクリーンの径が短くなればなる程、ブラシ部材と回動軸との間は狭くなり、該ブラシ部材と回動軸とを連結し又は接続する支持部材は、通常では短く（場合によっては細く）設計しなければならないところ、この発明に係る洗浄機能付きストレーナでは、先端でブラシ部材を支持する一又は複数の支持部材の基端は、上記回転軸の回転中心よりも該ブラシ部材とは離間する方向に離れた位置に固定されていることから、これまで使用していた支持部材を最小限度の変更のみで足りる。したがって、この第１の発明によれば、スクリーンの径が短くなることに伴う機械的強度の劣悪性を防止し、効果的にブラシの先端をスクリーンの内周面に摺接させることができる。
【００１１】
なお、この第１の発明に係る洗浄機能付きストレーナでは、上記回転軸は、手動による操作により回転されるものであっても、モータその他の駆動力により自動的に回転するものであっても良い。また、この第１の発明に係る洗浄機能付きストレーナでは、回転軸に基端側が固定された複数の支持部材によりスクリーンの長さ方向と同じ方向に長さを有するブラシ部材を支持してなるものであっても良い。
【００１２】
また、第２の発明（請求項２記載の発明）は、上記第１の発明において、前記回転軸は直線状に成形され、前記支持部材の基端は、この回転軸よりも偏心した位置であって、前記ブラシ部材とは離間する方向に離れた部位に位置するように固定されてなることを特徴とするものである。
【００１３】
この第２の発明では、前記回転軸は直線状に成形されていることから、前記リング部材の中心において回転自在に支持されてなる前記一方の被支持部から、他端側中途部に形成され前記流出規制部材の中心において回転自在に支持されてなる他方の被支持部までは、直線状に連続している。そして、前記支持部材の基端は、この回転軸よりも偏心した位置であって、前記ブラシ部材とは離間する方向に離れた部位に位置するように固定されている。したがって、この第２の洗浄機能付きストレーナであっても、前記第１の発明と同じように、スクリーンの径が短くなることに伴う機械的強度の劣悪性を防止し、効果的にブラシの先端をスクリーンの内周面に摺接させることができる。
【００１４】
また、第３の発明（請求項３記載の発明）は、上記第１の発明において、前記回転軸の一端側中途部と他端側中途部とには、該回転軸の長さ方向に長さを有する固定プレートの基端が該回転軸の周面に固定され、この固定プレートには、前記ブラシ部材を支持する単一又は複数の支持部材の基端が固定されてなるとともに、該支持部材の長さ方向は上記回転軸の長さ方向と直交する方向とされてなり、該支持部材の中途部は上記回転軸に隣接してなることを特徴とするものである。
【００１５】
この第３の発明に係る洗浄機能付きストレーナでは、上記支持部材は上記固定プレートを介して固定され、且つ、該支持部材の長さ方向は上記回転軸の長さ方向と直交する方向とされてなり、該支持部材の中途部は上記回転軸に隣接してなることから、スクリーンの径が短い場合であっても、該支持部材の長さや太さの設計に余裕を持たせることが可能となり、また、ブラシ部材の組み付け作業も容易となる。
【００１６】
また、第４の発明（請求項４記載の発明）は、上記第３の発明において、前記回転軸には、該回転軸を１８０度回転させた位置には、前記固定プレートと同一形状に係る第２の固定プレートが該第１の固定プレートと面対向することなく固定されてなるとともに、この第２の固定プレートには、前記ブラシ部材と同一形状に係る第２のブラシ部材を支持し上記回転軸を間に介して前記支持部材と平行とされてなる第２の支持部材の基端が固定されてなることを特徴とするものである。
【００１７】
この第４の発明に係る洗浄機能付きストレーナでは、前記回転軸には、該回転軸を１８０度回転させた位置にも上記固定プレートと同一形状に係る第２の固定プレートが固定されてなるとともに、この第２の固定プレートにも、前記第２の支持部材の基端が固定され、この第２の支持部材には第２のブラシ部材が支持され、上記第２の固定プレート及び第２の支持部材は、上記回転軸を中心として、上記固定プレート及び支持部材と点対称とされている。したがって、上記回転軸を回転させた際、上記ブラシ部材と第２のブラシ部材との双方が上記スクリーンに摺接する際の抵抗は概ね均衡したものとなることから、安定した回転状態を得ることが可能となる。
【００１８】
また、第５の発明（請求項５記載の発明）は、上記第１の発明において、前記回転軸には、前記一方の被支持部と他方の被支持部との間において、コ字状に折曲され該回転軸の回動中心とは偏心してなるとともに前記スクリーンの長さ方向と平行となされた偏心軸部が形成され、前記支持部材は、該支持部材の基端が上記偏心軸部に固定されてなるとともに、該支持部材の中途部は上記回転軸の回動中心を通過して該回転軸の回転中心の長さ方向とは直交する方向に長さを備えてなることを特徴とするものである。
【００１９】
この第５の発明に係る洗浄機能付きストレーナによる場合であっても、前記第１の発明と同じように、スクリーンの径が短くなることに伴う機械的強度の劣悪性を防止し、効果的にブラシの先端をスクリーンの内周面に摺接させることができる。
【００２０】
なお、上記偏心軸部を有するコ字状に折曲された部位は、前記回転軸と一体成形されているものばかりではなく、該回転軸とは別体に成形され該回転軸に溶接又は連結若しくは締結されてなるものであっても良い。
【００２１】
また、第６の発明（請求項６記載の発明）は、上記第１、第２、第３、第４又は第５の発明の何れかにおいて、前記支持部材又は第２の支持部材とブラシ部材又は第２のブラシ部材には、前記支持部材としての軸部と、この軸部が内嵌挿される前記支持部材又は第２の支持部材としての円筒部とを相対的に備えてなるとともに、上記円筒部内には、上記ブラシ部材又は第２のブラシ部材の先端を前記スクリーンの内周面に圧接する弾性部材が配置されてなることを特徴とするものである。
【００２２】
この第６の発明に係る洗浄機能付きストレーナでは、前記支持部材又は第２の支持部材とブラシ部材又は第２のブラシ部材には、前記支持部材又は第２の支持部材としての軸部と、この軸部が内嵌挿される前記支持部材又は第２の支持部材としての円筒部とを相対的に備えている。すなわち、上記支持部材又は第２の支持部材としての軸部が上記回転軸に固定されてなる一方、上記ブラシ部材又は第２のブラシ部材には上記軸部が内嵌挿する筒状部が形成されている場合と、上記支持部材又は第２の支持部材としての筒状部が上記回転軸に固定されてなる一方、上記ブラシ部材又は第２のブラシ部材には上記筒状部に内嵌挿する軸部が形成されている場合と、を含むものである。そして、上記何れの場合であっても、上記筒状部内には、上記ブラシ部材又は第２のブラシ部材の先端を前記スクリーンの内周面に圧接する弾性部材が配置されている。なお、上記筒状部内に配置された弾性部材は、該筒状部内に内嵌挿される軸部に外嵌挿されたコイルスプリングであっても良いし、或いは、一端が上記ブラシ部材又は第２のブラシ部材に当接し、他端は上記軸部に当接する板バネであっても良い。
【００２３】
したがって、このように構成された第６の発明によれば、上記弾性部材の弾性力により常時ブラシ部材又は第２のブラシ部材の先端をスクリーンの内周面に圧接させることができ、該スクリーンの内周面にて捕捉された異物をより一層効果的に除去・洗浄することが可能となる。また、上記スクリーンに多少の凹凸が存在する場合であっても、該凹凸は上記弾性部材の弾性力により吸収されることから、ブラシ部材又は第２のブラシ部材とスクリーンとの摩擦抵抗により、該ブラシ部材又は第２のブラシ部材の回転抵抗を低減することができ、該ブラシ部材又は第２のブラシ部材の回転が不能となる事態を防止することができる。
【発明の効果】
【００２４】
本発明に係る各洗浄機能付きストレーナによれば、スクリーンの径が短くなることに伴う機械的強度の劣悪性を防止し、効果的にブラシの先端をスクリーンの内周面に摺接させることができる。
【００２５】
特に、第３の発明（請求項３記載の発明）に係る洗浄機能付きストレーナでは、上記支持部材は上記固定プレートを介して固定され、且つ、該支持部材の長さ方向は上記回転軸の長さ方向と直交する方向とされてなり、該支持部材の中途部は上記回転軸に隣接してなることから、スクリーンの径が短い場合であっても、該支持部材の長さや太さの設計に余裕を持たせることが可能となり、また、ブラシ部材の組み付け作業も容易となる。
【００２６】
また、第４の発明（請求項４記載の発明）に係る洗浄機能付きストレーナでは、前記回転軸には、該回転軸を１８０度回転させた位置にも上記固定プレートと同一形状に係る第２の固定プレートが固定されてなるとともに、この第２の固定プレートにも、前記第２の支持部材の基端が固定され、この第２の支持部材には第２のブラシ部材が支持され、上記第２の固定プレート及び第２の支持部材は、上記回転軸を中心として、上記固定プレート及び支持部材と点対称とされている。したがって、上記回転軸を回転させた際、上記ブラシ部材と第２のブラシ部材との双方が上記スクリーンに摺接する際の抵抗は概ね均衡したものとなることから、安定した回転状態を得ることが可能となる。
【００２７】
また、第５の発明（請求項５記載の発明）に係る洗浄機能付きストレーナによれば、スクリーンの径が短くなることに伴う機械的強度の劣悪性を防止し、効果的にブラシの先端をスクリーンの内周面に摺接させることができ、更には、これまで使用していたブラシや該ブラシを支持する部材等をそのまま利用することができるばかりではなく、上記支持部材の長さや大きさは、上記第２の発明に係る洗浄機能付きストレーナと比較して、上記偏心軸部からブラシ部材までの距離は長くなることから、支持部材の長さや大きさは余裕をもって設計することができる。
【００２８】
また、上記第６の発明（請求項６記載の発明）に係る洗浄機能付きストレーナによれば、上記弾性部材の弾性力により常時ブラシ部材又は第２のブラシ部材の先端をスクリーンの内周面に圧接させることができ、該スクリーンの内周面にて捕捉された異物をより一層効果的に除去・洗浄することが可能となる。また、上記スクリーンに多少の凹凸が存在する場合であっても、該凹凸は上記弾性部材の弾性力により吸収されることから、ブラシ部材又は第２のブラシ部材とスクリーンとの摩擦抵抗により、該ブラシ部材又は第２のブラシ部材の回転抵抗を低減することができ、該ブラシ部材又は第２のブラシ部材の回転が不能となる事態を防止することができる。
【図面の簡単な説明】
【００２９】
【図１】第１の実施の形態に係るストレーナを示す断面図である。
【図２】リング部材の平面図である。
【図３】傾斜管部の基端側の構成を拡大して示す断面図である。
【図４】スクリーン本体にリング部材が装着されている状態を拡大して示す側面図である。
【図５】回転軸に支持された各ブラシ部材の支持構造を拡大して示す断面図である。
【図６】回転軸に固定された第１の固定板と第２の固定板とを示す側面図である。
【図７】第２の実施の形態に係るストレーナを示す断面図である。
【図８】一部を破断して示す回転軸とブラシ部材とを分解して示す分解側面図である。
【発明を実施するための形態】
【００３０】
以下、本発明を実施するための最良の形態に係る洗浄機能付きストレーナについて、図面を参照しながら詳細に説明する。先ず、第１の実施の形態に係る洗浄機能付きストレーナについて説明し、その後に、第２の実施の形態に係る洗浄機能付きストレーナについて説明する。
【００３１】
この第１の実施の形態に係る洗浄機能付きストレーナ（以下、ストレーナと言う。）１は、図１に示すように、外観形状がＹ形に成形されてなるタイプのストレーナに本発明を適用したものである。そして、このストレーナ１は、両端にフランジ部（第１及び第２のフランジ部）２ａ，２ｂが形成された直管部２と、この直管部２の中途部から傾斜してなる傾斜管部３とが一体成形されたストレーナ本体４を備えている。上記第１及び第２のフランジ部２ａ，２ｂは、それぞれ流体を移送する図示しない配管に形成されたフランジ部に固定される部位である。なお、上記直管２の内周面には、傾斜管部３側に膨出した円管状の膨出部２ｃが形成されている。そして、この膨出部２ｃを含めた上記直管部２内には、後述するリング部材の上端外周縁が嵌合する嵌合部２ｄが形成されている。また、上記傾斜管部３の先端には、第３のフランジ部３ａが形成されている。
【００３２】
また、上記傾斜管部３に形成された上記第３のフランジ部３ａには、該傾斜管部３の開口の一部を閉塞する閉塞カバー５が、互いに締結する複数のボルト６及びナット７により閉塞されている（図３参照）。そして、この閉塞カバー５の内側面には、上記傾斜管部３内に嵌合する円筒状凸部５ａが形成されてなるとともに、この円筒状凸部５ａの内側は、後述するスクリーン本体を洗浄した傾斜管部３内の流体を該傾斜管部３内から流出させる流出用開口５ｂが形成されている。また、この流出用開口５ｂを形成する閉塞カバー５の内周面には、後述するスクリーン本体１２に形成された当接片１４に当接し、該スクリーン本体１２の供回りを規制するストッパー片５ｃが溶接されている。
【００３３】
そして、上記傾斜管部３内には、上記直管部２内に流入した異物を捕捉するスクリーンユニット１１が内蔵されている。このスクリーンユニット１１は、上記流体内に混入した異物を内側面にて捕捉する円筒状のスクリーン本体１２と、このスクリーン本体１２の先端の先端を閉塞するリング部材１３と、を備えている。上記スクリーン本体１２は、方形状に成形されたステンレススチール板に多数の細かい開口１２ａが穿設されたパンチングメタルを円弧状に折曲するとともの両側を溶接して円筒状に成形したものである。なお、上記スクリーン本体１２の基端側は、上記閉塞カバー５に形成された円盤状凸部５ａの近傍に位置しているとともに、該スクリーン本体１２の基端の内周には、上記共回り防止用のストッパー片５ｃに当接する当接板１４の基端が溶接されている。また、上記リング部材１３は、図２に示すように、外形形状は円盤状に成形されてなるものであって、平面形状が円形状に成形された外郭部１３ａと、この外郭部１３ａの内側を等分に仕切る仕切り部１３ｂと、上記外郭部１３ａの中心であって上記仕切り部１３ｂの中央に形成された円形状の貫通穴１３ｃとを備えている。すなわち、このリング部材１３には、上記仕切り部１３ｂを境とした両側には、上記直管部２内に流入した流体が上記スクリーン本体１２内に流入する二つの流入ポート１３ｄが形成されている。なお、このリング部材１３の外周面には、図４に示すように、該リング部材１３の外径よりも若干縮径された縮径部１３ｅが形成され、上記スクリーン本体１２の先端側は、この縮径部１３ｅに嵌合されている。
【００３４】
そして、上記スクリーンユニット１１には、以下に説明する洗浄ユニット１５が配置されている。この洗浄ユニット１５は、図１又は図５に示すように、回転軸１６と、回転軸１６に偏心した位置に固定された第１及び第２の固定プレート１７，１８と、これら第１及び第２の固定プレート１７，１８から起立してなる第１及び第２の支軸１９，２０と、後述するように上記回転軸１６回転により先端が上記スクリーン本体１２の内周面に摺接する第１及び第２のブラシ部材２１，２２と、この第１及び第２のブラシ部材２１，２２のそれぞれに形成された第１及び第２の円筒支持部２３，２４と、上記第１及び第２の支軸１７，１８に外嵌挿された弾性部材２５，２６と、を備えている。
【００３５】
上記回転軸１６は、本実施の形態に係るストレーナ１では、直線状に成形された棒状体であり、先端外周にはネジ（符号は省略する。）が螺刻された螺刻部１６ａ（図１参照）が形成され、この螺刻部１６ａは、上記リング部材１３の中心に形成された貫通穴１３ｃ内に挿通されてなるとともに、該貫通穴１３ｃから外部に露出してなり、この露出した部位には、平座金（符号は省略する。）を介してナット２７が螺着されている。このように、上記回転軸１５の先端側は、上記リング部材１３に回転可能に支持されてなるものであり、本発明を構成する一方の被支持部である。また、この回転軸１６の中途部は、上記閉塞カバー５に形成された流出用開口５ｂ内に位置している。
【００３６】
なお、この第１の実施の形態に係るストレーナ１においては、図１に示すように、上記閉塞カバー５には、上記流出用開口５ｂに連通する開口が内周に形成された筒状部材３１の一端側が上記閉塞カバー５に溶接され、この筒状部材３１の他端には、該筒状部材３１に形成された上記開口を閉塞するとともに上記回転軸１６の基端側中途部を回転可能に支持してなる回転支持部材３２が溶接されている。そして、上記筒状部材３１の中途部には、分岐管３３の基端が溶接され、この分岐管３３の先端側には開閉バルブ３４が配置されている。すなわち、このストレーナ１では、上記開閉バルブ３４を開放することにより、上記傾斜管部３内の流体は、上記閉塞カバー５に形成された流出用開口５ｂ、筒状部材３１内、上記分岐管３３内を通過して外部に排出できるように構成されている。また、上記回転支持部材３２には、中心位置において上記回転軸１６を回転可能に支持する蓋部材３５がボルト３６及びナット３７により固定されており、上記回転軸１６は、この蓋部材３５の外側に露出されており、この外部に露出した回転軸１６の基端には、該回転軸１６を回転操作するハンドル３８が固定されている。なお、上記回転軸１６が上記回転支持部材３２や蓋部材３５に支持されている部位は、本発明を構成する他方の被支持部であり、また、上記筒状部材３１に形成された上記開口を閉塞する上記回転支持部材３２は、本発明を構成する流出規制部材である。
【００３７】
そして、このように先端側は上記リング部材１３に回転可能に支持され、基端側は上記回転支持部材３２や蓋部材３５に回転自在に支持された回転軸１６には、図５に示すように、先に記載した第１及び第２の固定プレート１７，１８が固定されている。これら第１及び第２の固定プレート１７，１８は、それぞれ上記回転軸１６の長さ方向と同じ方向に長さを有しており、その幅方向は、それぞれ該回転軸１６の長さ方向とは直交する方向とされた略長方形状の板体である。そして、上記第１の固定プレート１７の一側は、上記回転軸１６の外周に溶接され、上記第２の固定プレート１８は、該回転軸１６を１８０度回転した部位に固定されている。換言すれば、上記第１及び第２の固定プレート１７，１８は、それぞれ一側側から他側側にかけて互いに逆方向に幅を有している。なお、これら第１及び第２の固定プレート１７，１８は、それぞれ同一形状に成形されてなるものであり、図６に示すように、両端側にはそれぞれ幅広部１７ａ，１７ａ，１８ａ，１８ａがそれぞれ形成され、上記幅広部１７ａ，１７ａには、それぞれ第１の支軸１９の基端が固定され、また、上記幅広部１８ａ，１８ａには、それぞれ第２の支軸２０の基端が固定されている。また、図５に示すように、これら第１及び第２の支軸１９，１９，２０，２０は、それぞれ互いに平行とされてなるとともに、上記第１の支軸１９と第２の支軸２０とは、間に上記回転軸１６を挟んで平行に位置している。
【００３８】
一方、上記第１及び第２のブラシ部材２１，２２は、それぞれ上記回転軸１６の回転により、先端が上記スクリーン本体１２の内周面に摺接するブラシ本体２１ａ，２２ａと、このブラシ本体２１ａ，２２ａの基端側が挿入され該ブラシ本体２１ａ，２２ａを固定するブラシ保持部材２１ｂ，２２ｂと、を備えている。上記第１及び第２のブラシ部材２１，２２は、図１に示すように、上記第１及び第２の固定プレート１７，１８の長さよりも若干長尺に成形されている。そして、上記第１及び第２のブラシ部材２１，２２を構成する各ブラシ保持部材２１ｂ，２２ｂの背面であって、上記第１及び第２の支軸１９，１９，２０，２０の先端に対向する位置には、円盤状の底板２３ａ，２４ａが溶接され、この底板部２３ａ，２４ａには、上記これら第１及び第２の支軸１９，１９，２０，２０が内部に挿通された上記第１及び第２の円筒部２３，２４が溶接されている。また、第１及び第２の円筒部２３，２４内には、上記第１及び第２の支軸１９，１９，２０，２０に外嵌挿された弾性部材２５，２６が収容されている。なお、上記第１及び第２の支軸１９，１９，２０，２０及び第１及び第２の円筒部２３，２４は、共同して上記第１及び第２のブラシ部材２１，２２を支持してなるものであり、本発明を構成する支持部材である。また、上記第１及び第２の弾性部材２５，２６は、本実施の形態に係るストレーナでは、コイルスプリングを使用し、該コイルスプリングの弾性力により、上記第１及び第２のブラシ部材２１，２２は常にスクリーン本体１２の内周面側に押圧されている。
【００３９】
したがって、上述した構成に係るストレーナ１によれば、上流側（第１のフランジ部２ａに接続された管路側）から上記直管部２内に流入した流体は、上記リング部材１３に形成された二つの流入ポート１３ｄから上記スクリーン本体１２内に流入し、このスクリーン本体１２内に流入した流体は再び該スクリーン本体１２に形成された開口１２ａを通過して上記直管部２内に流入し、下流側（第２のフランジ部２ｂに接続された管路側）に移動する。したがって、上記流体内にスラッジ等の異物が混入している場合には、上記スクリーン本体１２の内周面にて捕捉される。
【００４０】
また、上記スクリーン本体１２の内周面に多量の異物が付着した場合、又は、所定時間が経過した後に、作業者が上記ハンドル３８を回転操作すると、この操作に伴って上記回転軸１６が回転するとともに、上記第１及び第２のブラシ部材２１，２２を構成するブラシ本体２１ａ，２２ａの先端は、上記スクリーン本体１２の内周面を摺接し、こうした摺接により上記異物はスクリーン本体２１内において剥離・除去ないし洗浄される。そして、こうした第１及び第２のブラシ部材２１，２２の回転操作によるスクリーン本体１２の洗浄作業によって該スクリーン本体１２内で浮遊する異物は、上記開閉バルブ３４を開放することにより、上記分岐管３３の先端から流体と一緒に外部に排出される。
【００４１】
そして、上記第１の実施の形態に係るストレーナ１では、上記第１及び第２のブラシ部材２１，２２は、上記回転軸１６の周面からスクリーン本体１２の内周面までの間において、該回転軸１６に支持されているのではなく、該回転軸１６から離間し且つ該回転軸１６の後方に基端を有する上記支軸（第１及び第２の支軸１９，１９，２０，２０）等により支持されていることから、小型のストレーナに内蔵される場合であっても、上記支軸（第１及び第２の支軸１９，１９，２０，２０）等を小型化する必要性がなく、小型化による機械的強度の劣悪性を防止することができるとともに、効果的にブラシ本体２１ａ，２２ａの先端をスクリーン本体１２の内周面に摺接させることができ、更には、これまで使用していたブラシや該ブラシを支持する部材等をそのまま利用することができる。
【００４２】
特に、この第１の実施の形態に係るストレーナ１では、上記第１及び第２の支軸１９，１９，２０，２０のそれぞれには、上記第１及び第２のブラシ部材２１，２２をスクリーン本体１２の内周面方向に押圧する第１及び第２の弾性部材２５，２６が配置されていることから、上記第１及び第２のブラシ部材２１，２２は常にスクリーン本体１２の内周面側に押圧させることができるとともに、該スクリーン本体１２に凹凸等が形成されている場合であっても、その抵抗により、該第１及び第２のブラシ部材２１，２２の回転操作が不能となる事態を有効に防止することができる。
【００４３】
次に、本発明の第２の実施の形態に係るストレーナ５１について、図７及び図８を参照しながら詳細に説明する。なお、この実施の形態に係るストレーナ５１も、先に説明したストレーナ１と同じように、外観形状がＹ形に成形されてなるタイプのストレーナに本発明を適用したものであるとともに、上記ストレーナ１と比較した場合、洗浄ユニットの構成のみが異なることから、他の共通する部材等は全て同一の符号を用いて説明する。
【００４４】
この第２のストレーナ５１は、上記回転軸１６に代えて、図７又は図８に示す回転軸５２が構成要素とされている。この回転軸５２は、上記リング部材１３に形成された貫通穴１３ｃに挿通され、該リング部材１３に回転可能に支持されてなる棒状の一方の被支持部５２ａと、上記回転支持部材３２や蓋部材３５に支持されている棒状の他方の被支持部５２ｂと、一端は上記一方の被支持部５２ａに固定され、他端は上記他方の被支持部５２ｂに固定されているコ字状体５２ｃと、を備えている。
【００４５】
上記一方の被支持部５２ａと他方の被支持部５２ｂとの中心軸は同一の位置とされ、また、上記コ字状体５２ｃは、図８に示すように、上記一方の被支持部５２ａの他端に溶接されてなるとともに、該一方の被支持部材５２ａの長さ方向とは直交する方向に長さを有してなる一方の溶接片５２ｄと、上記他方の被支持部材５２ｂの長さ方向とは直交する方向に長さを有してなる他方の溶接片５２ｅと、一端は上記一方の溶接片５２ｄに連続し、他端は上記他方の溶接片５２ｅに連続してなるとともに、上記一方の被支持部５２ａや他方の被支持部５２ｂの軸心（この回転軸５２の回転中心）と平行となされ該回動軸５２の回転中心とは離間した偏心片５２ｆと、から構成されている。なお、上記偏心片５２ｆは、本発明を構成する偏心軸部である。すなわち、この偏心片５２ｆの外側面は、上記スクリーン本体１２とは接近した位置に存在し、反対に内側面は、該スクリーン本体１２とは離間した位置に存在している。そして、上記偏心片５２ｆの内側面であって、上記一方の溶接片５２ｄ側に近接した位置には、第１の円筒支持部５３の基端が溶接され、上記他方の溶接片５２ｅ側に近接した位置には、第２の円筒支持部５４の基端が溶接されている。これら第１及び第２の円筒支持部５３，５４は、この回転軸５２の回転中心の長さ方向とは直交する方向に長さを有している。
【００４６】
一方、上記コ字状体５２ｃには、単一のブラシ部材５５が装着されている。このブラシ部材５５は、上記回転軸５２の回転により、先端が上記スクリーン本体１２の内周面に摺接するブラシ本体５５ａと、このブラシ本体５５ａの基端側が挿入され該ブラシ本体５５ａを固定するブラシ保持部材５５ｂと、を備えている。上記ブラシ部材５５は、図７に示すように、上記コ字状体５２ｃの長さよりも若干短尺に成形されている。そして、上記ブラシ部材５５を構成するブラシ保持部材５５ｂの背面には、補強板５５ｃにより補強されて基端が固定された第１及び第２の支軸５６，５７が溶接されている。上記第１の支軸５６は、上記第１の円筒支持部５３内に挿入され、また、上記第２の支軸５７は、上記第２の円筒支持部５４内に挿入されてなるものである。また、この第２の実施の形態に係るストレーナ５１においても、上記第１及び第２の支軸５６，５７には、第１の弾性部材５８や第２の弾性部材５９が外嵌挿され、これら第１及び第２の弾性部材５８，５９は、それぞれ第１及び第２の円筒支持部５３，５４内に位置している。上記第１及び第２の弾性部材５８，５９は、コイルスプリングであり、該コイルスプリングの弾性力により、上記ブラシ部材５５は常にスクリーン本体１２の内周面側に押圧されている。
【００４７】
したがって、以上のように構成されたストレーナ５１であっても、上記ブラシ部材５５は、上記回転軸５２の周面からスクリーン本体１２の内周面までの間において、該回転軸５２に支持されているのではなく、該回転軸５２から離間し且つ該回転軸５２の回転中心よりも離間した上記偏心片５２ｆの内側面に固定された上記第１及び第２の円筒支持部５３，５４や上記第１及び第２の支軸５６，５７（これらは本発明を構成する支持部材である。）により支持されていることから、小型のストレーナに内蔵される場合であっても、上記支軸（第１及び第２の支軸５６，５７）等を小型化する必要性がなく、小型化による機械的強度の劣悪性を防止することができるとともに、効果的にブラシ本体５５の先端をスクリーン本体１２の内周面に摺接させることができ、更には、これまで使用していたブラシや該ブラシを支持する部材等をそのまま利用することができる。
【００４８】
なお、上記各実施の形態に係るストレーナ１，５１では、弾性部材２５，２６，５８，５９により、（第１及び第２の）ブラシ部材２１，２２、５５の先端がスクリーン本体１２の内周面に常に押圧されるようにするために、回転軸１６又は回転軸５２を構成するコ字状体５２ｃと（第１及び第２の）ブラシ部材２１，２２、５５とを、それぞれ別体により構成し、それぞれに上記支軸１９，１９，２０，２０，５６，５７と、円筒支持部２３，２４，５３，５４とにより共同して、該回転軸１６又は回転軸５２を構成するコ字状体５２ｃに（第１及び第２の）ブラシ部材２１，２２、５５を支持させた例を示したが、上記弾性部材２５，２６，５８，５９を配置することなく、回転軸１６又は回転軸５２を構成するコ字状体５２ｃと（第１及び第２の）ブラシ部材２１，２２、５５とを直接的に図示しない支持部材により支持させた構造であっても良い。
【００４９】
また、上記各実施の形態に係るストレーナ１，５１では、弾性部材２５，２６，５８，５９として、コイルスプリングを使用したが、ブラシ部材２１，２２、５５の先端がスクリーン本体１２の内周面に常に押圧されるように該ブラシ部材２１，２２、５５を押圧するものであれば、例えば板バネその他のものであっても良い。
【符号の説明】
【００５０】
１  ストレーナ
２  直管部
３  傾斜管部
１２  スクリーン本体
１３  リング部材
１３ｄ  流入ポート
１６  回転軸
１７  第１の固定プレート
１８  第２の固定プレート
１９  第１の支軸
２０  第２の支軸
２１  第１のブラシ部材
２２  第２のブラシ部材
２３  第１の円筒支持部
２４  第２の円筒支持部
２５  第１の弾性部材
２６  第２の弾性部材
３２  回転支持部材
５１  ストレーナ
５２  回転軸
５２ａ  一方の被支持部
５２ｂ  他方の被支持部
５２ｆ  偏心片
５３  第１の円筒支持部
５４  第２の円筒支持部
５５  ブラシ部材
５６  第１の支軸
５７  第２の支軸
５８  第１の弾性部材
５９  第２の弾性部材
【図１】
0006267163.tif 000002
【図２】
0006267163.tif 000003
【図３】
0006267163.tif 000004
【図４】
0006267163.tif 000005
【図５】
0006267163.tif 000006
【図６】
0006267163.tif 000007
【図７】
0006267163.tif 000008
【図８】
0006267163.tif 000009